(57)【要約】【課題】障害発生の有無に関わらず保守作業を行う区間の光出力を停止または低下させることができ、光出力の停止または低下の実行に伴う誤操作のリスクを回避することができる光通信装置を提供する。【解決手段】外部から主信号送信部１１１または１２１に対する光出力停止命令または光出力低下命令の入力を受け付ける。光出力停止命令または光出力低下命令の入力を受け付けると、装置間制御信号通信部１０２は光出力停止命令または光出力低下命令の送信を行う。また、入力された光出力停止命令または光出力低下命令に基づいて、主信号送信部１１１または１２１からの光信号の出力を停止し、または出力レベルを通常運用時の出力レベル未満に低下させる。【選択図】図２
2010041195.tif 000002
【特許請求の範囲】
【請求項１】
光ファイバケーブルを介して光信号の送受信を行う光通信装置であって、
他の光通信装置に光信号の送信を行う送信手段と、
前記他の光通信装置から光信号の受信を行う受信手段と、
外部から前記送信手段に対する光出力停止命令または光出力低下命令の何れかの入力を受け付ける命令入力手段と、
前記光出力停止命令が入力された場合、前記送信手段を介して前記他の光通信装置に光出力停止命令の送信を行う処理、または前記光出力低下命令が入力された場合、前記送信手段を介して前記他の光通信装置に光出力低下命令の送信を行う処理の何れかを実行する命令送信手段と、
前記光出力停止命令が入力された場合、前記送信手段からの光信号の出力を停止する処理、または前記光出力低下命令が入力された場合、前記送信手段からの光信号の出力レベルを通常運用時の出力レベル未満に低下させる処理の何れかを実行する命令実行手段と、
前記受信手段が前記他の光通信装置から受信する光信号が停止または光信号の入力レベルが通常運用時の入力レベル未満に低下した場合、保守状態移行完了通知を出力する移行完了通知手段と、
を備えることを特徴とする光通信装置。
【請求項２】
前記命令入力手段は、外部から前記送信手段に対する光出力再開命令の入力を受け付け、
前記命令実行手段は、前記光出力再開命令が入力された場合、前記送信手段からの光信号の出力レベルを通常運用時の出力レベルに上昇させ、
前記命令送信手段は、前記光出力停止命令が入力された場合、送信手段を介して前記他の光通信装置に光出力再開命令の送信を行い、
前記移行完了通知手段は、前記受信手段が前記他の光通信装置から受信する光信号の入力レベルが通常運用時の入力レベルに上昇した場合、運用状態移行完了通知を出力する、
ことを特徴とする請求項１に記載の光通信装置。
【請求項３】
光ファイバケーブルを介して光信号の送受信を行う光通信装置であって、
他の光通信装置に光信号の送信を行う送信手段と、
前記他の光通信装置から光出力停止命令または光出力低下命令の受信を行う受信手段と、
前記光出力停止命令が入力された場合、前記送信手段からの光信号の出力を停止する処理、または前記光出力低下命令が入力された場合、前記送信手段からの光信号の出力レベルを通常運用時の出力レベル未満に低下させる処理の何れかを実行する命令実行手段と、
を備えることを特徴とする光通信装置。
【請求項４】
前記受信手段は、前記他の光通信装置から光出力再開命令の受信を行い、
前記命令実行手段は、前記光出力再開命令が入力された場合、前記送信手段からの光信号の出力レベルを通常運用時の出力レベルに上昇させる、
ことを特徴とする請求項３に記載の光通信装置。
【請求項５】
前記受信手段に接続された前記光ファイバケーブルを介してラマン増幅用の励起光を出力する励起光出力手段と、
前記受信手段を介し、前記励起光によって増幅された光信号の入力がなくなった場合、または光信号の入力レベルが通常運用時の入力レベル未満に低下した場合、前記励起光出力手段の出力を停止する励起光出力停止手段と、
を備えることを特徴とする請求項１から請求項４の何れかに記載の光通信装置。
【請求項６】
前記光出力再開命令が入力された場合、前記励起光出力手段による励起光の出力を再開する励起光出力再開手段を備えることを特徴とする請求項５に記載の光通信装置。
【請求項７】
光ファイバケーブルを介して光信号の送受信を行う第１の光通信装置と第２の光通信装置とを備える光通信システムであって、
前記第１の光通信装置は、
前記第２の光通信装置に光信号の送信を行う送信手段と、
前記第２の光通信装置から光信号の受信を行う受信手段と、
外部から前記送信手段に対する光出力停止命令または光出力低下命令の何れかの入力を受け付ける命令入力手段と、
前記光出力停止命令が入力された場合、自装置の前記送信手段を介して前記第２の光通信装置に光出力停止命令の送信を行う処理、または前記光出力低下命令が入力された場合、自装置の前記送信手段を介して前記第２の光通信装置に光出力低下命令の送信を行う処理の何れかを実行する命令送信手段と、
前記光出力停止命令が入力された場合、自装置の前記送信手段からの光信号の出力を停止する処理、または前記光出力低下命令が入力された場合、自装置の前記送信手段からの光信号の出力レベルを通常運用時の出力レベル未満に低下させる処理の何れかを実行する命令実行手段と、
自装置の前記受信手段が前記第２の光通信装置から受信する光信号が停止または光信号の入力レベルが通常運用時の入力レベル未満に低下した場合、保守状態移行完了通知を出力する移行完了通知手段と、
を備え、
前記第２の光通信装置は、
前記第１の光通信装置に光信号の送信を行う送信手段と、
前記第１の光通信装置から光出力停止命令または光出力低下命令の受信を行う受信手段と、
前記光出力停止命令が入力された場合、自装置の前記送信手段からの光信号の出力を停止する処理、または前記光出力低下命令が入力された場合、自装置の前記送信手段からの光信号の出力レベルを通常運用時の出力レベル未満に低下させる処理の何れかを実行する命令実行手段と、
を備えることを特徴とする光通信システム。
【請求項８】
前記第１の光通信装置の前記命令入力手段は、外部から自装置の前記送信手段に対する光出力再開命令の入力を受け付け、
前記第１の光通信装置の前記命令実行手段は、前記光出力再開命令が入力された場合、自装置の前記送信手段からの光信号の出力レベルを通常運用時の出力レベルに上昇させ、
前記第１の光通信装置の前記命令送信手段は、前記光出力停止命令が入力された場合、自装置の前記送信手段を介して前記第２の光通信装置に光出力再開命令の送信を行い、
前記第１の光通信装置の前記移行完了通知手段は、自装置の前記受信手段が前記第２の光通信装置から受信する光信号の入力レベルが通常運用時の入力レベルに上昇した場合、運用状態移行完了通知を出力し、
前記第２の光通信装置の前記受信手段は、前記第１の光通信装置から光出力再開命令の受信を行い、
前記第２の光通信装置の前記命令実行手段は、前記光出力再開命令が入力された場合、自装置の前記送信手段からの光信号の出力レベルを通常運用時の出力レベルに上昇させる、
ことを特徴とする請求項７に記載の光通信システム。
【請求項９】
光ファイバケーブルを介して光信号の送受信を行う第１の光通信装置と第２の光通信装置とを備える光通信システムにおける光出力制御方法であって、
前記第１の光通信装置の送信手段は、前記第２の光通信装置に光信号の送信を行い、
前記第１の光通信装置の受信手段は、前記第２の光通信装置から光信号の受信を行い、
前記第１の光通信装置の命令入力手段は、外部から自装置の前記送信手段に対する光出力停止命令または光出力低下命令の何れかの入力を受け付け、
前記第１の光通信装置の命令送信手段は、前記光出力停止命令が入力された場合、自装置の前記送信手段を介して前記第２の光通信装置に光出力停止命令の送信を行う処理、または前記光出力低下命令が入力された場合、自装置の前記送信手段を介して前記第２の光通信装置に光出力低下命令の送信を行う処理の何れかを実行し、
前記第１の光通信装置の命令実行手段は、前記光出力停止命令が入力された場合、自装置の前記送信手段からの光信号の出力を停止する処理、または前記光出力低下命令が入力された場合、自装置の前記送信手段からの光信号の出力レベルを通常運用時の出力レベル未満に低下させる処理の何れかを実行し、
前記第１の光通信装置の移行完了通知手段は、自装置の前記受信手段が前記第２の光通信装置から受信する光信号が停止または光信号の入力レベルが通常運用時の入力レベル未満に低下した場合、保守状態移行完了通知を出力し、
前記第２の光通信装置の送信手段は、前記第１の光通信装置に光信号の送信を行い、
受信手段は、前記第１の光通信装置から光出力停止命令または光出力低下命令の受信を行い、
前記第２の光通信装置の命令実行手段は、前記光出力停止命令が入力された場合、自装置の前記送信手段からの光信号の出力を停止する処理、または前記光出力低下命令が入力された場合、自装置の前記送信手段からの光信号の出力レベルを通常運用時の出力レベル未満に低下させる処理の何れかを実行する、
ことを特徴とする光出力制御方法。
【請求項１０】
前記第１の光通信装置の前記命令入力手段は、外部から自装置の前記送信手段に対する光出力再開命令の入力を受け付け、
前記第１の光通信装置の前記命令実行手段は、前記光出力再開命令が入力された場合、自装置の前記送信手段からの光信号の出力レベルを通常運用時の出力レベルに上昇させ、
前記第１の光通信装置の前記命令送信手段は、前記光出力再開命令が入力された場合、自装置の前記送信手段を介して前記第２の光通信装置に光出力再開命令の送信を行い、
前記第１の光通信装置の前記移行完了通知手段は、自装置の前記受信手段が前記第２の光通信装置から受信する光信号の入力レベルが通常運用時の入力レベルに上昇した場合、運用状態移行完了通知を出力し、
前記第２の光通信装置の前記受信手段は、前記第１の光通信装置から光出力再開命令の受信を行い、
前記第２の光通信装置の前記命令実行手段は、前記光出力再開命令が入力された場合、自装置の前記送信手段からの光信号の出力レベルを通常運用時の出力レベルに上昇させる、
ことを特徴とする請求項９に記載の光出力制御方法。
【請求項１１】
光ファイバケーブルを介して光信号の送信を行う光通信装置のコンピュータを、
他の光通信装置に光信号の送信を行う送信手段、
外部から前記送信手段に対する光出力停止命令または光出力低下命令の何れかの入力を受け付ける命令入力手段、
前記光出力停止命令が入力された場合、前記送信手段を介して前記他の光通信装置に光出力停止命令の送信を行う処理、または前記光出力低下命令が入力された場合、前記送信手段を介して前記他の光通信装置に光出力低下命令の送信を行う処理の何れかを実行する命令送信手段、
前記光出力停止命令が入力された場合、前記送信手段からの光信号の出力を停止する処理、または前記光出力低下命令が入力された場合、前記送信手段からの光信号の出力レベルを通常運用時の出力レベル未満に低下させる処理の何れかを実行する命令実行手段、
前記受信手段が前記他の光通信装置から受信する光信号が停止または光信号の入力レベルが通常運用時の入力レベル未満に低下した場合、保守状態移行完了通知を出力する移行完了通知手段、
として機能させるためのプログラム。
【請求項１２】
前記コンピュータをさらに、
外部から前記送信手段に対する光出力再開命令の入力を受け付ける命令入力手段、
前記光出力再開命令が入力された場合、前記送信手段からの光信号の出力レベルを通常運用時の出力レベルに上昇させる命令実行手段、
前記光出力再開命令が入力された場合、送信手段を介して光出力再開命令の送信を行う命令送信手段、
前記受信手段が前記他の光通信装置から受信する光信号の入力レベルが通常運用時の入力レベルに上昇した場合、運用状態移行完了通知を出力する移行完了通知手段、
として機能させるための請求項１１に記載のプログラム。
【請求項１３】
光ファイバケーブルを介して光信号の送受信を行う光通信装置のコンピュータを、
他の光通信装置に光信号の送信を行う送信手段、
前記他の光通信装置から光出力停止命令または光出力低下命令の受信を行う受信手段、
前記光出力停止命令が入力された場合、前記送信手段からの光信号の出力を停止する処理、または前記光出力低下命令が入力された場合、前記送信手段からの光信号の出力レベルを通常運用時の出力レベル未満に低下させる手段の何れかを実行する命令実行手段、
として機能させるためのプログラム。
【請求項１４】
前記コンピュータをさらに、
前記光ファイバケーブルを介して光出力再開命令の受信を行う受信手段、
前記光出力再開命令が入力された場合、前記送信手段からの光信号の出力レベルを通常運用時の出力レベルに上昇させる命令実行手段、
として機能させるための請求項１３に記載のプログラム。
【発明の詳細な説明】
【技術分野】
【０００１】
本発明は、波長多重装置や光クロスコネクト装置などの、高出力の光を用いた光通信装置及び光出力制御方法及び光通信システム及びプログラムに関する。
【背景技術】
【０００２】
光通信システムの保守を行う際、波長多重装置などの光通信装置に接続された光ファイバケーブルの接続断が行われる。光通信装置の光出力レベルは高く、光出力の停止または低下を行わずに光ファイバの接続断を行うと、汚れによるコネクタ端面の焼などの損傷、また保守作業者の身体に悪影響を及ぼす可能性がある。そのため、コマンドによる光通信装置のシャットダウンを行うことで、保守作業の実施前に保守作業を行う区間の光出力を停止させ、その後保守作業を開始する。
【０００３】
また、特許文献１、特許文献２に、障害発生時に光通信装置が備えるＡＰＲ（自動パワー低減：Auto Power Reduction）機能を発動することによって光出力の停止または低下を行う方法が開示されている。
【特許文献１】特開２０００−３３２６９５号公報
【特許文献２】特開２００４−２９７７９０号公報
【発明の開示】
【発明が解決しようとする課題】
【０００４】
光通信装置は他の光通信装置と相互に通信を行っているため、保守区間の光出力を停止するには保守区間に接続された複数の光通信装置のシャットダウンを行う必要がある。このように、各光通信装置のシャットダウンを行うことで光出力を停止させる場合、どの光通信装置のシャットダウンを行えば保守区間の光出力を停止できるかを確認する必要があった。しかし、通常は各光通信装置が遠隔に設置されているために、保守区間に接続される光通信装置を目視で確認することはできない。そのため、ネットワーク接続図などから接続状態を読み取り、適切な光通信装置に対してシャットダウンを行っていた。この際、ネットワーク接続図などの読み取りミス及び操作ミスによってシャットダウンを行うべきでない光通信装置に対してシャットダウンを行ってしまう可能性があった。
シャットダウンを行うべきでない光通信装置に対してシャットダウンを行うと、保守区間以外の通信が停止してしまうためにサービス運用上多大な損害を与え、さらに保守区間の光出力が停止されないために保守作業者の安全性が確保されないという問題があった。
【０００５】
また、特許文献１、特許文献２に記載の方法は、何れも障害を検知してＡＰＲ機能を発動する方法であるため、伝送ルートの変更に伴う光ファイバケーブルの接続変更など、障害発生時以外の保守作業においては光出力の停止または低下を行うことができなかった。
【０００６】
本発明は上記の点に鑑みてなされたものであり、その目的は、障害発生の有無に関わらず保守作業を行う区間の光出力を停止または低下させることができ、光出力の停止または低下の実行に伴う誤操作のリスクを回避することができる光通信装置を提供することにある。
【課題を解決するための手段】
【０００７】
本発明は上記の課題を解決するためになされたものであり、光ファイバケーブルを介して光信号の送受信を行う光通信装置であって、他の光通信装置に光信号の送信を行う送信手段と、前記他の光通信装置から光信号の受信を行う受信手段と、外部から前記送信手段に対する光出力停止命令または光出力低下命令の何れかの入力を受け付ける命令入力手段と、前記光出力停止命令が入力された場合、前記送信手段を介して前記他の光通信装置に光出力停止命令の送信を行う処理、または前記光出力低下命令が入力された場合、前記送信手段を介して前記他の光通信装置に光出力低下命令の送信を行う処理の何れかを実行する命令送信手段と、前記光出力停止命令が入力された場合、前記送信手段からの光信号の出力を停止する処理、または前記光出力低下命令が入力された場合、前記送信手段からの光信号の出力レベルを通常運用時の出力レベル未満に低下させる処理の何れかを実行する命令実行手段と、前記受信手段が前記他の光通信装置から受信する光信号が停止または光信号の入力レベルが通常運用時の入力レベル未満に低下した場合、保守状態移行完了通知を出力する移行完了通知手段と、を備えることを特徴とする。
【０００８】
また、本発明の前記命令入力手段は、外部から前記送信手段に対する光出力再開命令の入力を受け付け、前記命令実行手段は、前記光出力再開命令が入力された場合、前記送信手段からの光信号の出力レベルを通常運用時の出力レベルに上昇させ、前記命令送信手段は、前記光出力停止命令が入力された場合、送信手段を介して前記他の光通信装置に光出力再開命令の送信を行い、前記移行完了通知手段は、前記受信手段が前記他の光通信装置から受信する光信号の入力レベルが通常運用時の入力レベルに上昇した場合、運用状態移行完了通知を出力する、ことを特徴とする。
【０００９】
また、本発明は、光ファイバケーブルを介して光信号の送受信を行う光通信装置であって、他の光通信装置に光信号の送信を行う送信手段と、前記他の光通信装置から光出力停止命令または光出力低下命令の受信を行う受信手段と、前記光出力停止命令が入力された場合、前記送信手段からの光信号の出力を停止する処理、または前記光出力低下命令が入力された場合、前記送信手段からの光信号の出力レベルを通常運用時の出力レベル未満に低下させる処理の何れかを実行する命令実行手段と、を備えることを特徴とする。
【００１０】
また、本発明の前記受信手段は、前記他の光通信装置から光出力再開命令の受信を行い、前記命令実行手段は、前記光出力再開命令が入力された場合、前記送信手段からの光信号の出力レベルを通常運用時の出力レベルに上昇させる、ことを特徴とする。
【００１１】
また、本発明は、前記受信手段に接続された前記光ファイバケーブルを介してラマン増幅用の励起光を出力する励起光出力手段と、前記受信手段を介し、前記励起光によって増幅された光信号の入力がなくなった場合、または光信号の入力レベルが通常運用時の入力レベル未満に低下した場合、前記励起光出力手段の出力を停止する励起光出力停止手段と、を備えることを特徴とする。
【００１２】
また、本発明は、前記光出力再開命令が入力された場合、前記励起光出力手段による励起光の出力を再開する励起光出力再開手段を備えることを特徴とする。
【００１３】
また、本発明は、光ファイバケーブルを介して光信号の送受信を行う第１の光通信装置と第２の光通信装置とを備える光通信システムであって、前記第１の光通信装置は、前記第２の光通信装置に光信号の送信を行う送信手段と、前記第２の光通信装置から光信号の受信を行う受信手段と、外部から前記送信手段に対する光出力停止命令または光出力低下命令の何れかの入力を受け付ける命令入力手段と、前記光出力停止命令が入力された場合、自装置の前記送信手段を介して前記第２の光通信装置に光出力停止命令の送信を行う処理、または前記光出力低下命令が入力された場合、自装置の前記送信手段を介して前記第２の光通信装置に光出力低下命令の送信を行う処理の何れかを実行する命令送信手段と、前記光出力停止命令が入力された場合、自装置の前記送信手段からの光信号の出力を停止する処理、または前記光出力低下命令が入力された場合、自装置の前記送信手段からの光信号の出力レベルを通常運用時の出力レベル未満に低下させる処理の何れかを実行する命令実行手段と、自装置の前記受信手段が前記第２の光通信装置から受信する光信号が停止または光信号の入力レベルが通常運用時の入力レベル未満に低下した場合、保守状態移行完了通知を出力する移行完了通知手段と、を備え、前記第２の光通信装置は、前記第１の光通信装置に光信号の送信を行う送信手段と、前記第１の光通信装置から光出力停止命令または光出力低下命令の受信を行う受信手段と、前記光出力停止命令が入力された場合、自装置の前記送信手段からの光信号の出力を停止する処理、または前記光出力低下命令が入力された場合、自装置の前記送信手段からの光信号の出力レベルを通常運用時の出力レベル未満に低下させる処理の何れかを実行する命令実行手段と、を備えることを特徴とする。
【００１４】
また、本発明における前記第１の光通信装置の前記命令入力手段は、外部から自装置の前記送信手段に対する光出力再開命令の入力を受け付け、前記第１の光通信装置の前記命令実行手段は、前記光出力再開命令が入力された場合、自装置の前記送信手段からの光信号の出力レベルを通常運用時の出力レベルに上昇させ、前記第１の光通信装置の前記命令送信手段は、前記光出力停止命令が入力された場合、自装置の前記送信手段を介して前記第２の光通信装置に光出力再開命令の送信を行い、前記第１の光通信装置の前記移行完了通知手段は、自装置の前記受信手段が前記第２の光通信装置から受信する光信号の入力レベルが通常運用時の入力レベルに上昇した場合、運用状態移行完了通知を出力し、前記第２の光通信装置の前記受信手段は、前記第１の光通信装置から光出力再開命令の受信を行い、前記第２の光通信装置の前記命令実行手段は、前記光出力再開命令が入力された場合、自装置の前記送信手段からの光信号の出力レベルを通常運用時の出力レベルに上昇させる、ことを特徴とする。
【００１５】
また、本発明は、光ファイバケーブルを介して光信号の送受信を行う第１の光通信装置と第２の光通信装置とを備える光通信システムにおける光出力制御方法であって、前記第１の光通信装置の送信手段は、前記第２の光通信装置に光信号の送信を行い、前記第１の光通信装置の受信手段は、前記第２の光通信装置から光信号の受信を行い、前記第１の光通信装置の命令入力手段は、外部から自装置の前記送信手段に対する光出力停止命令または光出力低下命令の何れかの入力を受け付け、前記第１の光通信装置の命令送信手段は、前記光出力停止命令が入力された場合、自装置の前記送信手段を介して前記第２の光通信装置に光出力停止命令の送信を行う処理、または前記光出力低下命令が入力された場合、自装置の前記送信手段を介して前記第２の光通信装置に光出力低下命令の送信を行う処理の何れかを実行し、前記第１の光通信装置の命令実行手段は、前記光出力停止命令が入力された場合、自装置の前記送信手段からの光信号の出力を停止する処理、または前記光出力低下命令が入力された場合、自装置の前記送信手段からの光信号の出力レベルを通常運用時の出力レベル未満に低下させる処理の何れかを実行し、前記第１の光通信装置の移行完了通知手段は、自装置の前記受信手段が前記第２の光通信装置から受信する光信号が停止または光信号の入力レベルが通常運用時の入力レベル未満に低下した場合、保守状態移行完了通知を出力し、前記第２の光通信装置の送信手段は、前記第１の光通信装置に光信号の送信を行い、受信手段は、前記第１の光通信装置から光出力停止命令または光出力低下命令の受信を行い、前記第２の光通信装置の命令実行手段は、前記光出力停止命令が入力された場合、自装置の前記送信手段からの光信号の出力を停止する処理、または前記光出力低下命令が入力された場合、自装置の前記送信手段からの光信号の出力レベルを通常運用時の出力レベル未満に低下させる処理の何れかを実行する、ことを特徴とする。
【００１６】
また、本発明における前記第１の光通信装置の前記命令入力手段は、外部から自装置の前記送信手段に対する光出力再開命令の入力を受け付け、前記第１の光通信装置の前記命令実行手段は、前記光出力再開命令が入力された場合、自装置の前記送信手段からの光信号の出力レベルを通常運用時の出力レベルに上昇させ、前記第１の光通信装置の前記命令送信手段は、前記光出力再開命令が入力された場合、自装置の前記送信手段を介して前記第２の光通信装置に光出力再開命令の送信を行い、前記第１の光通信装置の前記移行完了通知手段は、自装置の前記受信手段が前記第２の光通信装置から受信する光信号の入力レベルが通常運用時の入力レベルに上昇した場合、運用状態移行完了通知を出力し、前記第２の光通信装置の前記受信手段は、前記第１の光通信装置から光出力再開命令の受信を行い、前記第２の光通信装置の前記命令実行手段は、前記光出力再開命令が入力された場合、自装置の前記送信手段からの光信号の出力レベルを通常運用時の出力レベルに上昇させる、ことを特徴とする。
【００１７】
また、本発明は、光ファイバケーブルを介して光信号の送信を行う光通信装置のコンピュータを、他の光通信装置に光信号の送信を行う送信手段、外部から前記送信手段に対する光出力停止命令または光出力低下命令の何れかの入力を受け付ける命令入力手段、前記光出力停止命令が入力された場合、前記送信手段を介して前記他の光通信装置に光出力停止命令の送信を行う処理、または前記光出力低下命令が入力された場合、前記送信手段を介して前記他の光通信装置に光出力低下命令の送信を行う処理の何れかを実行する命令送信手段、前記光出力停止命令が入力された場合、前記送信手段からの光信号の出力を停止する処理、または前記光出力低下命令が入力された場合、前記送信手段からの光信号の出力レベルを通常運用時の出力レベル未満に低下させる処理の何れかを実行する命令実行手段、前記受信手段が前記他の光通信装置から受信する光信号が停止または光信号の入力レベルが通常運用時の入力レベル未満に低下した場合、保守状態移行完了通知を出力する移行完了通知手段、として機能させるためのプログラムである。
【００１８】
また、本発明は、前記コンピュータをさらに、外部から前記送信手段に対する光出力再開命令の入力を受け付ける命令入力手段、前記光出力再開命令が入力された場合、前記送信手段からの光信号の出力レベルを通常運用時の出力レベルに上昇させる命令実行手段、前記光出力再開命令が入力された場合、送信手段を介して光出力再開命令の送信を行う命令送信手段、前記受信手段が前記他の光通信装置から受信する光信号の入力レベルが通常運用時の入力レベルに上昇した場合、運用状態移行完了通知を出力する移行完了通知手段、として機能させるためのプログラムである。
【００１９】
また、本発明は、光ファイバケーブルを介して光信号の送受信を行う光通信装置のコンピュータを、他の光通信装置に光信号の送信を行う送信手段、前記他の光通信装置から光出力停止命令または光出力低下命令の受信を行う受信手段、前記光出力停止命令が入力された場合、前記送信手段からの光信号の出力を停止する処理、または前記光出力低下命令が入力された場合、前記送信手段からの光信号の出力レベルを通常運用時の出力レベル未満に低下させる手段の何れかを実行する命令実行手段、として機能させるためのプログラムである。
【００２０】
また、本発明は、前記コンピュータをさらに、前記光ファイバケーブルを介して光出力再開命令の受信を行う受信手段、前記光出力再開命令が入力された場合、前記送信手段からの光信号の出力レベルを通常運用時の出力レベルに上昇させる命令実行手段、として機能させるためのプログラムである。
【発明の効果】
【００２１】
本発明によれば、保守区間の１つの光通信装置に光出力停止命令または光出力低下命令を入力することで、当該光通信装置は、自装置からの光出力を停止または低下させる。さらに、自装置に接続された保守区間の光通信装置に光出力停止命令または光出力低下命令を送信し、保守区間の光通信装置からの光出力を停止または低下させる。これにより、従来は保守区間の複数の光通信装置それぞれにシャットダウンのコマンドを入力する必要あったが、１つの光通信装置に対して光出力停止命令または光出力低下命令の入力を行えばよいため、シャットダウンを行うべきでない光通信装置に対して誤ってシャットダウンを行ってしまうことがなくなる。また、光出力停止命令または光出力低下命令を入力することで光出力の停止または低下を行うので、障害発生の有無に関わらず保守区間の光出力を停止または低下させることができる。
【発明を実施するための最良の形態】
【００２２】
（第１の実施形態）
以下、図面を参照しながら本発明の第１の実施形態について詳しく説明する。
図１は、本発明の第１の実施形態による光通信システムの構成を示す概略ブロック図である。
図１に示される光通信システムは、３つの波長多重装置（光通信装置）を順に接続し、当該波長多重装置をノードとするリング状の光通信システムを構成した例である。光通信システム１は、波長多重装置１００−１〜１００−３と保守端末２００を備える。波長多重装置１００−１〜１００−３は、それぞれ第１の接続端子と第２の接続端子とを有する。波長多重装置１００−１の第２の接続端子は区間Ｚ１で波長多重装置１００−２の第１の接続端子と接続される。波長多重装置１００−２の第２の接続端子は区間Ｚ２で波長多重装置１００−３の第１の接続端子と接続される。波長多重装置１００−３の第２の接続端子は区間Ｚ３で波長多重装置１００−１の第１の接続端子と接続される。波長多重装置１００−１〜１００−３は接続された他の波長多重装置と光信号の送受信を行う。保守端末２００は保守区間の一端の波長多重装置１００−１〜１００−３の何れかに接続され、波長多重装置の制御信号（光出力停止命令、光出力低下命令、光出力再開命令）を送信する。
【００２３】
図２は、波長多重装置の構成を示す概略ブロック図である。
波長多重装置１００−１は、装置制御部１０１（命令入力手段、命令送信手段、命令実行手段）、装置間制御信号通信部１０２（送信手段、受信手段）、主信号送信部１１１、１２１（送信手段）、主信号受信部１１２、１２２（受信手段）を備える。装置制御部１０１は、保守端末２００との接続部を有し、保守端末２００から制御信号の入力を受け付ける。また、装置制御部１０１は、入力された制御信号に基づき、ＡＰＲ機能によって主信号送信部１１１または１２１の光出力を制御し、装置間制御信号通信部１０２に制御信号の送信命令を通知する。装置間制御信号通信部１０２は、接続された波長多重装置１００−１〜１００−３と制御信号の送受信を行う。主信号送信部１１１は、第２の接続端子に接続された波長多重装置に光信号の出力を行う。主信号受信部１１２は、第２の接続端子に接続された波長多重装置から光信号の受信を行う。主信号送信部１２１は、第１の接続端子に接続された波長多重装置に光信号の出力を行う。主信号受信部１２２は、第１の接続端子に接続された波長多重装置から光信号の受信を行う。
波長多重装置１００−２、１００−３の構成及び機能は波長多重装置１００−１と同じものである。
【００２４】
以下に光通信システムの保守区間の光出力の停止を行う動作を説明する。
ここでは、区間Ｚ１を保守区間とし、保守作業者が波長多重装置１００−１の設置場所にいる例を用いて説明する。
図３は、区間Ｚ１の光出力の停止を行う動作を示すフローチャートである。
まず、保守作業者が保守端末２００を波長多重装置１００−１（第１の光通信装置）に接続することで、波長多重装置１００−１の装置制御部１０１は、保守端末２００の接続を検出する（ステップＳ１）。保守端末２００を接続すると、保守作業者は、保守端末２００の入力部（図示せず）の操作によって、波長多重装置１００−１の第２の接続端子の光出力停止命令を入力する。保守端末２００は、光出力停止命令の入力を受け付けると、波長多重装置１００−１の装置制御部１０１に第２の接続端子の光出力停止命令を出力する（ステップＳ２）。装置制御部１０１は、光出力停止命令の入力を受け付けると、主信号送信部１１１にＡＰＲ機能を発動させ、光出力を停止させる（ステップＳ３）。また、装置制御部１０１は、ステップＳ２によって光出力停止命令を取得すると、装置間制御信号通信部１０２を介して波長多重装置１００−２（第２の光通信装置）に光出力停止命令を送信する（ステップＳ４）。
【００２５】
波長多重装置１００−２の装置間制御信号通信部１０２は、ステップＳ４で送信された光出力停止命令を受信する（ステップＳ５）。波長多重装置１００−２の装置間制御信号通信部１０２は、受信した光出力命令を波長多重装置１００−２の装置制御部に通知する。波長多重装置１００−２の装置制御部１０１は、装置間制御信号通知部１０２から光出力停止命令を取得する。装置制御部１０１は、光出力停止命令の送信元の波長多重装置１００−１に接続されている主信号送信部１２１にＡＰＲ機能を発動させ、光出力を停止させる（ステップＳ６）。
波長多重装置１００−１の主信号受信部１１２は、波長多重装置１００−２からの光信号の入力が停止したことを検知する（ステップＳ７）。光信号の入力停止を検知すると、装置制御部１０１は、保守端末２００の表示部（図示せず）に区間Ｚ１の光出力の停止が完了したこと（保守状態移行完了通知）を表示させる（ステップＳ８）。
このように、波長多重装置１００−１に保守端末２００を接続し、光出力停止命令を入力することで、波長多重装置１００−１と１００−２両方の光出力を停止させることができる。保守作業者は、保守端末２００の表示部に区間Ｚ１の光出力の停止の完了が表示されてから保守作業を行うことで、保守作業者の安全性確保及び事故の防止ができる。
なお、ここでは、区間Ｚ１を保守区間とし、保守作業者が波長多重装置１００−１に保守端末２００を接続する例を用いたが、保守端末２００を波長多重装置１００−２に接続する場合、及び区間Ｚ２、Ｚ３を保守区間とする場合も同様の処理によって実現できる。
なお、ここでは光出力の停止を行う動作を説明したが、光出力の低下を行う動作も同様の処理によって実現することができる。光出力の低下を行う場合は、入力される制御情報を光出力停止命令の代わりに光出力低下命令とする。これにより、波長多重装置１００−１〜１００−３は光信号の出力レベルを通常運用時の出力レベル未満に低下させる。
【００２６】
次に、保守作業が完了した後に、光通信システムの保守区間の光出力の再開を行う動作を説明する。
ここでは、上述したように、区間Ｚ１を保守区間とし、保守作業者が波長多重装置１００−１の設置場所にいる例を用いる。
図４は、区間Ｚ１の光出力の再開を行う動作を示すフローチャートである。
まず、保守作業者が保守端末２００を波長多重装置１００−１に接続することで、波長多重装置１００−１の装置制御部１０１は、保守端末２００の接続を検知する（ステップＳ１１）。保守端末２００を接続すると、保守作業者は、保守端末２００の入力部（図示せず）の操作によって、波長多重装置１００−１の第２の接続端子の光出力再開命令を入力する。保守端末２００は、光出力再開命令の入力を受け付けると、波長多重装置１００−１の装置制御部１０１に第２の接続端子の光出力再開命令を出力する（ステップＳ１２）。装置制御部１０１は、光出力再開命令の入力を受け付けると、主信号送信部１１１にＡＰＲ機能を発動させ、光出力を再開させる（ステップＳ１３）。ここで再開とは、出力レベルを通常運用時の出力レベルに上昇させることを示す。また、装置制御部１０１は、ステップＳ１２によって光出力再開命令を取得すると、装置間制御信号通信部１０２を介して波長多重装置１００−２に光出力再開命令を送信する（ステップＳ１４）。
【００２７】
波長多重装置１００−２の装置間制御信号通信部１０２は、ステップＳ１４で送信された光出力再開命令を受信する（ステップＳ１５）。波長多重装置１００−２の装置間制御信号通信部１０２は、受信した光出力再開命令を波長多重装置１００−２の装置制御部１０１に通知する。波長多重装置１００−２の装置制御部１０１は、装置間制御信号通知部１０２から光出力再開命令を取得する。装置制御部１０１は、光出力再開命令の送信元の波長多重装置１００−１に接続されている主信号送信部１２１にＡＰＲ機能を発動させ、光出力を再開させる（ステップＳ１６）。
波長多重装置１００−１の主信号受信部１１２は、波長多重装置１００−２からの光信号の入力が再開したことを検知する（ステップＳ１７）。光信号の入力再開を検知すると、装置制御部１０１は、保守端末２００の表示部（図示せず）に区間Ｚ１の光出力の再開が完了したこと（運用状態移行完了通知）を表示させる（ステップＳ１８）。
このように、波長多重装置１００−１に保守端末２００を接続し、光出力停止命令を入力することで、波長多重装置１００−１と１００−２両方の光出力を再開させることができる。保守作業者は、保守端末２００の表示部に区間Ｚ１の光出力の再開の完了が表示されることで、区間Ｚ１の通信の再開を確認することができる。
なお、ここでは、区間Ｚ１を保守区間とし、保守作業者が波長多重装置１００−１に保守端末２００を接続する例を用いたが、保守端末２００を波長多重装置１００−２に接続する場合、及び区間Ｚ２、Ｚ３を保守区間とする場合も同様の処理によって実現できる。
【００２８】
このように、第１の実施形態によれば、保守区間の１つの光通信装置に光出力停止命令または光出力低下命令を入力することで、当該光通信装置は、自装置からの光出力を停止または低下させる。さらに、自装置に接続された保守区間の光通信装置に光出力停止命令または光出力低下命令を送信し、保守区間の光通信装置からの光出力を停止または低下させる。これにより、従来は保守区間の複数の光通信装置それぞれにシャットダウンのコマンドを入力する必要あったが、１つの光通信装置に対して光出力停止命令または光出力低下命令の入力を行えばよいため、シャットダウンを行うべきでない光通信装置に対して誤ってシャットダウンを行ってしまうことがなくなる。また、光出力停止命令または光出力低下命令を入力することで光出力の停止または低下を行うので、障害発生の有無に関わらず保守区間の光出力を停止または低下させることができる。
【００２９】
（第２の実施形態）
次に、本発明の第２の実施形態について説明する。第２の実施形態は、ラマン増幅用の励起光源を適用した光通信システムにおける光出力制御の例である。
【００３０】
図５は、本発明の第２の実施形態による光通信システムの構成を示す概略ブロック図である。
第２の実施形態による光通信システム１の波長多重装置１００−１〜１００−３は、それぞれの受信側の光ファイバケーブルに接続させるラマン光源を備え、受信信号と逆向きに励起光を出力する。ラマン光源を備える以外の構成は第１の実施形態の光通信システムと同じであるため、同一の符号を用いて説明する。
【００３１】
図６は、第２の実施形態による波長多重装置の構成を示す概略ブロック図である。
第２の実施形態による波長多重装置１００−１は、第１の実施形態による波長多重装置１００−１に加え、ラマン光源１１３、１２３（励起光出力手段）をさらに備える。なお、他の処理部については第１の実施形態と同じであるため、同一の符号を用いて説明する。
ラマン光源１１３、１２３は、受信側の光ファイバケーブルに接続され、受信信号と逆向きの励起光を出力する。励起光を出力することで、ラマン増幅により主信号受信部１１２、１２２及び装置間制御信号通信部１０２が受信する光信号を増幅させる。
【００３２】
以下にラマン光源を備える光通信システムの保守区間の光出力の停止を行う動作を説明する。ここでは、区間Ｚ１を保守区間とし、保守作業者が波長多重装置１００−１の設置場所にいる例を用いる。
図７は、ラマン光源を備える光通信システムにおいて区間Ｚ１の光出力の停止を行う動作を示すフローチャートである。第１の実施形態と同一の処理を行うステップは同一の符号を用いて説明する。
まず、保守作業者が保守端末２００を波長多重装置１００−１に接続することで、波長多重装置１００−１の装置制御部１０１は、保守端末２００の接続を検知する（ステップＳ１）。保守端末２００を接続すると、保守作業者は、保守端末２００の入力部（図示せず）の操作によって、波長多重装置１００−１の第２の接続端子の光出力停止命令を入力する。保守端末２００は、光出力停止命令の入力を受け付けると、波長多重装置１００−１の装置制御部１０１に第２の接続端子の光出力停止命令を出力する（ステップＳ２）。装置制御部１０１は、光出力停止命令の入力を受け付けると、主信号送信部１１１にＡＰＲ機能を発動させ、光出力を停止させる（ステップＳ３）。
波長多重装置１００−１の主信号送信部１１１からの光出力が停止すると、波長多重装置１００−２の主信号受信部１２２は、波長多重装置１００−１の光出力の停止を感知する。波長多重装置１００−１の光出力の停止を感知すると、装置制御部１０１（励起信号出力停止手段）は、ラマン光源１２３の励起光の出力を停止させる（ステップＳ１０１）。
また、波長多重装置１００−１の装置制御部１０１は、ステップＳ２によって光出力停止命令を取得すると、装置間制御信号通信部１０２を介して波長多重装置１００−２に光出力停止命令を送信する（ステップＳ４）。
【００３３】
波長多重装置１００−２の装置間制御信号通信部１０２は、ステップＳ４で送信された光出力停止命令を受信する（ステップＳ５）。波長多重装置１００−２の装置間制御信号通信部１０２は、受信した光出力停止命令を波長多重装置１００−２の装置制御部１０１に通知する。波長多重装置１００−２の装置制御部１０１は、装置間制御信号通知部１０２から光出力停止命令を取得する。装置制御部１０１は、光出力停止命令の送信元の波長多重装置１００−１に接続されている主信号送信部１２１にＡＰＲ機能を発動させ、光出力を停止させる（ステップＳ６）。
波長多重装置１００−２の主信号送信部１２１からの光出力が停止すると、波長多重装置１００−１の主信号受信部１１２は、波長多重装置１００−２の光出力の停止を感知する。波長多重装置１００−２の光出力の停止を感知すると、装置制御部１０１は、ラマン光源１１３の励起光の出力を停止させる（ステップＳ１０２）。
波長多重装置１００−１の装置間制御信号通信部１０２は、波長多重装置１００−２からの光信号の入力が停止したことを検知する（ステップＳ７）。光信号の入力停止を検知すると、装置制御部１０１は、保守端末２００の表示部（図示せず）に区間Ｚ１の光出力の停止が完了したことを表示させる（ステップＳ８）。
このように、波長多重装置１００−１〜１００−３は、接続されている波長多重装置１００−１〜１００−３からの光信号の出力停止を主信号受信部１１２、１２２が感知することで、ラマン光源１１３、１２３の励起光を停止する。これにより、接続されている波長多重装置１００−１〜１００−３から送信された光信号を全て取得してから励起光を停止することができる。
なお、ここでは、区間Ｚ１を保守区間とし、保守作業者が波長多重装置１００−１に保守端末２００を接続する例を用いたが、保守端末２００を波長多重装置１００−２に接続する場合、及び区間Ｚ２、Ｚ３を保守区間とする場合も同様の処理によって実現できる。
また、ここでは光出力の停止を行う動作を説明したが、光出力の低下を行う動作も同様の処理によって実現することができる。光出力の低下を行う場合は、入力される制御情報を光出力停止命令の代わりに光出力低下命令とする。これにより、波長多重装置１００−１〜１００−３は光信号の出力レベルを通常運用時の出力レベル未満に低下させる。
【００３４】
次に、ラマン光源を備える光通信システムの保守区間の光出力の再開を行う動作を説明する。
ここでは、上述したように、区間Ｚ１を保守区間とし、保守作業者が波長多重装置１００−１の設置場所にいる例を用いる。
図８は、ラマン光源を備える光通信システムの区間Ｚ１の光出力の再開を行う動作を示すフローチャートである。第１の実施形態と同一の処理を行うステップは同一の符号を用いて説明する。
まず、保守作業者が保守端末２００を波長多重装置１００−１に接続することで、波長多重装置１００−１の装置制御部１０１は、保守端末２００の接続を検出する（ステップＳ１１）。保守端末２００を接続すると、保守作業者は、保守端末２００の入力部（図示せず）の操作によって、波長多重装置１００−１の第２の接続端子の光出力再開命令を入力する。保守端末２００は、光出力再開命令の入力を受け付けると、波長多重装置１００−１の装置制御部１０１に第２の接続端子の光出力再開命令を出力する（ステップＳ１２）。装置制御部１０１は、光出力再開命令の入力を受け付けると、主信号送信部１１１にＡＰＲ機能を発動させ、光出力を再開させる（ステップＳ１３）。また、装置制御部１０１（励起光出力再開手段）は、光出力再開命令を取得すると、ラマン光源１１３の励起光の出力を再開させる（ステップＳ２０１）。また、装置制御部１０１は、ステップＳ１２によって光出力再開命令を取得すると、装置間制御信号通信部１０２を介して波長多重装置１００−２に光出力再開命令を送信する（ステップＳ１４）。
【００３５】
波長多重装置１００−２の装置間制御信号通信部１０２は、ステップＳ１４で送信された光出力再開命令を受信する（ステップＳ１５）。波長多重装置１００−２の装置間制御信号通信部１０２は、受信した光出力再開命令を波長多重装置１００−２の装置制御部１０１に通知する。波長多重装置１００−２の装置制御部１０１は、装置間制御信号通知部１０２から光出力再開命令を取得する。装置制御部１０１は、光出力再開命令の送信元の波長多重装置１００−１に接続されている主信号送信部１２１にＡＰＲ機能を発動させ、光出力を再開させる（ステップＳ１６）。また、装置制御部１０１は、光出力再開命令を取得すると、光出力再開命令の送信元の波長多重装置１００−１に接続されているラマン光源１２３の励起光の出力を再開させる（ステップＳ２０２）。
波長多重装置１００−１の装置間制御信号通信部１０２は、波長多重装置１００−２からの光信号の入力が再開したことを検知する（ステップＳ１７）。光信号の入力再開を検知すると、装置制御部１０１は、保守端末２００の表示部（図示せず）に区間Ｚ１の光出力の再開が完了したことを表示させる（ステップＳ１８）。
このように、光出力再開命令によってラマン光源１１３、１２３の出力を再開することで、ラマン光源を備える光通信システム１の稼動を再開させることができる。
なお、ここでは、区間Ｚ１を保守区間とし、保守作業者が波長多重装置１００−１に保守端末２００を接続する例を用いたが、保守端末２００を波長多重装置１００−２に接続する場合、及び区間Ｚ２、Ｚ３を保守区間とする場合も同様の処理によって実現できる。
【００３６】
このように、第２の実施形態によれば、ラマン光源を備える光通信システムにおいて、第１の実施形態による主信号の光出力の停止または低下に加えて、ラマン光源の光出力の停止または低下を行うことができる。これにより、複数の装置の主信号の光出力とラマン光源の光出力を停止または低下させるという煩雑な作業を簡単に行うことができる。
【００３７】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、光通信装置が波長多重装置である場合を説明したが、これに限られず、例えば光クロスコネクト装置など、高出力の光を用いた光通信装置としても同様の効果が得られる。
なお、本実施形態では、光通信システムがリング構造である場合を説明したが、これに限られず、例えばメッシュ構造やリニア構造としても同様の効果が得られる。
なお、本実施形態では、光通信システムが波長多重装置を３つ備える構成である場合を説明したが、これに限られず、２つまたは４つ以上備える構成でも同様の効果が得られる。
なお、本実施形態では、保守端末を波長多重装置に接続して制御信号を送信する場合を説明したが、これに限られず、波長多重装置が光出力停止ボタンなどの入力部を備えることで、保守端末を備えない構成にしてもよい。
なお、本実施形態では、波長多重装置が装置間制御信号通信部を備える場合を説明したが、これに限られず、主信号送信部及び主信号受信部に同様の機能を持たせ、波長多重装置が装置間制御信号通信部を備えない構成としてもよい。その場合、主信号送信部からの出力を停止または低下させる前に主信号送信部は保守区間に接続された他の波長多重装置に光出力停止命令または光出力低下命令の送信を行うことで、本実施形態と同様の効果を得ることができる。
【図面の簡単な説明】
【００３８】
【図１】本発明の第１の実施形態による光通信システムの構成を示す概略ブロック図である。
【図２】波長多重装置の構成を示す概略ブロック図である。
【図３】区間Ｚ１の光出力の停止を行う動作を示すフローチャートである。
【図４】区間Ｚ１の光出力の再開を行う動作を示すフローチャートである。
【図５】本発明の第２の実施形態による光通信システムの構成を示す概略ブロック図である。
【図６】第２の実施形態による波長多重装置の構成を示す概略ブロック図である。
【図７】ラマン光源を備える光通信システムにおいて区間Ｚ１の光出力の停止を行う動作を示すフローチャートである。
【図８】ラマン光源を備える光通信システムの区間Ｚ１の光出力の再開を行う動作を示すフローチャートである。
【符号の説明】
【００３９】
１…光通信システム  １００−１〜１００−３…波長多重装置  １０１…装置制御部  １０２…装置間制御信号通信部  １１１、１２１…主信号送信部  １１２、１２２…主信号受信部  ２００…保守端末  Ｚ１〜Ｚ３…区間
【図１】
2010041195.tif 000003
【図２】
2010041195.tif 000004
【図３】
2010041195.tif 000005
【図４】
2010041195.tif 000006
【図５】
2010041195.tif 000007
【図６】
2010041195.tif 000008
【図７】
2010041195.tif 000009
【図８】
2010041195.tif 000010